(57)【要約】      （修正有）【課題】電池の交換が不要で、半永久的な照明を可能とする照明機能付き筆記具を提供する。【解決手段】円筒形状からなる胴軸２Ｂの先端に首軸２Ａが設けられた軸本体と、首軸２Ａの先端から突出するペン先４ａを備えた筆記具本体４とを備える。軸本体内に、少なくとも手元を照光する発光素子５と、発光素子５に与える起電力を発生させる発電部Ｇと、起電力を充電する充電部８と、起電力を制御して充電部８に供給すると共に発光素子５に与えて発光させる電源制御部７と、発光素子５を点灯状態と消灯状態との間で切り替えるスイッチＳと、が設けられた構成とする。【選択図】図１
0003176474.tif 000002
【実用新案登録請求の範囲】
【請求項１】
円筒形状からなる胴軸（２Ｂ）の先端に首軸（２Ａ）が設けられた軸本体（２）と、前記首軸（２Ａ）の先端から突出するペン先（４ａ）を備えた筆記具本体（４）とを備えた筆記具において、
前記軸本体（２）内に、少なくとも手元を照光する発光素子（５）と、前記発光素子（５）に与える起電力を発生させる発電部（Ｇ）と、前記起電力を充電する充電部（８）と、前記起電力を制御して充電部（８）に供給すると共に前記発光素子（５）に与えて発光させる電源制御部（７）と、前記発光素子（５）を点灯状態と消灯状態との間で切り替えるスイッチ（Ｓ）と、が設けられていることを特徴とする照光機能付き筆記具。
【請求項２】
発電部（Ｇ）が、胴部内に固定された中空円筒状のコイル（１０）と、前記コイル（１０）の内側を軸方向に沿って移動自在に設けられた円柱形状の移動磁石（Ｍ）とから構成される請求項１記載の照光機能付き筆記具。
【請求項３】
移動磁石（Ｍ）が移動する軸方向の両端に固定磁石（ｍ１，ｍ２）がそれぞれ固定されており、前記固定磁石（ｍ１，ｍ２）と前記移動磁石（Ｍ）とは対向する端面どうしを同じ磁極とした状態で配置されている請求項２記載の照光機能付き筆記具。
【請求項４】
コイル（１０）を、所定のコイル間距離（Ｌ）を有して直列配置した第１コイル（１０Ａ）と第２コイル（１０Ｂ）で構成した請求項２または３記載の照光機能付き筆記具。
【請求項５】
コイル間距離（Ｌ）を１５ｍｍとした請求項４記載の照光機能付き筆記具。
【請求項６】
発電部（Ｇ）が、胴軸（２Ｂ）内に固定された固定磁石（ｍ１，ｍ２）と、前記固定磁石（ｍ１，ｍ２）の外側を相対的に移動自在に設けられた中空円筒状のコイル（１０）とから構成される請求項１記載の照光機能付き筆記具。
【請求項７】
充電部（８）が、円盤状のバッテリーからなる請求項１乃至６のいずれか一項に記載の照光機能付き筆記具。
【請求項８】
スイッチ（Ｓ）が首軸（２Ａ）と胴軸（２Ｂ）との境目近傍に設けられている請求項１乃至７のいずれか一項に記載の照光機能付き筆記具。
【請求項９】
首軸（２Ａ）を透明又は半透明な材料で形成し、発光素子（５）を前記首軸（２Ａ）の内部に配置した請求項１乃至８のいずれか一項に記載の照光機能付き筆記具。
【請求項１０】
発光素子（５）がＬＥＤである請求項１乃至９のいずれか一項に記載の照光機能付き筆記具。
【請求項１１】
首軸（２Ａ）の外側に着脱されるキャップ（２０）が設けられ、該キャップ（２０）の底部にレンズ（２１）が固定されている請求項１乃至１０のいずれか一項に記載の照光機能付き筆記具。
【考案の詳細な説明】
【技術分野】
【０００１】
本考案は、暗闇の中でも文字等が書ける照光機能付き筆記具に係わり、特に自家発電機構を備えた照光機能付き筆記具に関する。
【背景技術】
【０００２】
以下の特許文献１には、暗闇の中で手元を照明するランプ及びこのランプを点灯させる電池を備えた照光具付筆記具に関する考案が開示されている。この考案は、電池とランプとの間に半導体スイッチイング素子として電圧印加のみで動作する電界効果トランジスタを接続されており、ケースを摩擦させたときに発電体に発生した静電気の電圧で電界効果トランジスタを動作させられ、電池とランプとの間が導通状態となってランプが点灯するというものである。
【０００３】
他方、以下の特許文献２には、筆記用具内に発電装置が内蔵されており、筆記用具を使用する際に起こる振動によって発電機を動かし、このとき発生する電気エネルギーを電源として利用するようにした発電装置内筆記用具に関する考案が開示されている。
【先行技術文献】
【特許文献】
【０００４】
【特許文献１】特開平１−８０３９５号公報
【特許文献２】特開平１−２１８８９９号公報
【考案の概要】
【考案が解決しようとする課題】
【０００５】
しかし、特許文献１に記載の考案では、ランプを点灯させる電源として電池を利用するタイプであり、ランプの点灯時間は電池の寿命に依存されることになる。このため、電池が切れてしまうと使用することができなくなるので、新しい電池を補充しておかなければならないという問題がある。
【０００６】
また電池は、漏れ電流が発生し、使用しなくても徐々にその容量が減少しやすい構造であるため、緊急時には電池切れで使用できないという問題が起きやすい。
このため、特許文献２に記載の考案のように、発電装置内筆記用具とする構成が好ましい。
【０００７】
しかしながら、特許文献２には発電機の具体的な構成が記載されていない。
【０００８】
本考案は、上記した従来技術における問題点を解消すべく、電池の交換を不要にする具体的な発電装置を提供すると共に、この発電装置で発電された電気エネルギーを利用して半永久的な照明を可能とした照明機能付き筆記具を創出することを課題とする。
【課題を解決するための手段】
【０００９】
上記課題を解決するための手段のうち、本考案の主たる構成は、
円筒形状からなる胴軸の先端に首軸が設けられた軸本体と、首軸の先端から突出するペン先を備えた筆記具本体とを備えた筆記具において、
軸本体内に、少なくとも手元を照光する発光素子と、発光素子に与える電気エネルギーを発生させる発電部と、電気エネルギーを充電する充電部と、電気エネルギーを制御して充電部に供給すると共に発光素子に与えて点灯させる電源制御部と、発光素子を点灯状態と消灯状態との間で切り替えるスイッチと、が設けられていることを特徴とする、というものである。
【００１０】
上記構成からなる照明機能付き筆記具に係る考案では、スイッチが「閉」の場合には発電部が発電した電気エネルギーで充電部の充電を行う。またスイッチが「開」の場合には基本的には充電部から供給される電気エネルギーによって発光素子を点灯させるが、充電部に充電された電気エネルギーの容量が少ない場合には発光素子を直接点灯させる電気エネルギーとして利用される。
【００１１】
本考案の他の構成は、請求項１に記載の考案において、発電部が、胴軸内に固定された中空円筒状のコイルと、コイルの内側を軸方向に沿って移動自在に設けられた円柱形状の移動磁石とから構成される、と云うものである。
【００１２】
上記構成では、磁石とコイルとによって半永久的な発電を可能とする発電部が構成される。すなわち、筆記部を軸方向にシャッフルすると、軸本体に内部では、コイルの内部を貫く磁石からの磁束が時間的に変化して電流が流れ、ファラデーの電磁誘導則に従う誘導起電力（電気エネルギー）が発生する。このようにして発生した電気エネルギーは電源制御部で調整され、充電部を充電し、あるいは必要に応じて発光素子を点灯させる。
【００１３】
また本考案の他の構成は、請求項２に記載の考案において、移動磁石が移動する軸方向の両端に固定磁石がそれぞれ固定されており、固定磁石と移動磁石とは対向する端面どうしを同じ磁極とした状態で配置されている、と云うものである。
【００１４】
上記構成では、常に移動磁石と固定磁石との間に反発力を発生させておくことができ、磁力の低下を防止することができる。さらには、筆記具をシャッフルすると、移動磁石に比較的減衰時間の長い振動を与えることができる。
【００１５】
また本考案の他の構成は、請求項２または３に記載の考案において、コイルを、所定のコイル間距離を有して直列配置した第１コイルと第２コイルで構成した、と云うものである。
【００１６】
上記構成では、コイル１個の場合に比較してより大きな起電力の発生を達成する。
【００１７】
また本考案の他の構成は、請求項４に記載の考案において、コイル間距離を１５ｍｍとした、と云う、ものである。
【００１８】
上記構成では、最大起電力の発生を達成する。
【００１９】
また本考案の他の構成は、請求項１に記載の考案において、発電部が、胴部内に固定された固定磁石と、固定磁石の外側を相対的に移動自在に設けられた中空円筒状のコイルとから構成される、と云うものである。
【００２０】
上記構成とすることによっても、半永久的な発電を可能とする発電が構成される。
【００２１】
また本考案の他の構成は、請求項１乃至６のいずれか一項に記載の考案において、充電部が、円盤状のバッテリーからなる、と云うものである。
【００２２】
上記構成では、薄型のバッテリーを採用することにより、小型の筆記具を達成する。
【００２３】
また本考案の他の構成は、請求項１乃至７のいずれか一項に記載の考案において、スイッチが首軸と胴軸との境目近傍に設けられている、と云うものである。
【００２４】
上記構成では、筆記具を持ち変えることなくスイッチの切り替え操作を行うことを達成する。
【００２５】
また本考案の他の構成は、請求項１乃至８のいずれか一項に記載の考案において、首軸を透明又は半透明な材料で形成し、発光素子を首軸の内部に配置した、と云うものである。
【００２６】
上記構成では、発光素子を軸本体の内部に収納した状態で、透明又は半透明の首軸を介しての手元の照光を達成する。
【００２７】
さらに、本考案の他の構成は、請求項１乃至９のいずれか一項に記載の考案において、発光素子がＬＥＤである、と云うものである。
【００２８】
上記構成では、小型軽量で且つ長寿命の照明機能付き筆記具を実現する。
【００２９】
さらに、本考案の他の構成は、請求項１乃至１０のいずれか一項に記載の考案において、首軸の外側に着脱されるキャップが設けられ、このキャップの底部にレンズが固定されている、と云うものである。
【００３０】
上記構成では、発光素子が点灯した光の集光を達成する。
【考案の効果】
【００３１】
本考案は、上記した構成となっているので、以下に示す効果を奏する。
本考案の主たる構成においては、電池の交換が不要で且つ何時でも点灯させることが可能であり、暗闇の中でも手元を照光しての記述ができる照光機能を備えた筆記具を提供できる。
【００３２】
また請求項２に記載の、発電部が、胴部内に固定された中空円筒状のコイルと、コイルの内側を軸方向に沿って移動自在に設けられた円柱形状の移動磁石とから構成されるとしたものにあっては、簡単かつ安価な構成で、電池なしに発光素子を点灯させる起電力（電気エネルギー）を発生する発電部とすることができる。
【００３３】
また請求項３に記載の、移動磁石が移動する軸方向の両端に固定磁石がそれぞれ固定されており、固定磁石と移動磁石とは対向する端面どうしを同じ磁極とした状態で配置されている構成としたものにあっては、移動磁石を振動させることができるため、一度の操作で大きな電気エネルギーを得ることが可能となり、充電部の充電時間を短縮できる。あるいは発光素子をより明るく点灯させることができる。
【００３４】
また請求項４に記載の、コイルを、所定のコイル間距離を有して直列配置した第１コイルと第２コイルで構成した構成としたものにあっては、コイル１個の場合に比較して大きな起電力（電気エネルギー）を発生させることが可能となる。
【００３５】
また請求項５に記載の、コイル間距離を１５ｍｍとした構成としたものにあっては、最大起電力（電気エネルギー）を得て、発光素子を確実に点灯させることができるようになる。
【００３６】
また請求項６に記載の、発電部が、胴部内に固定された固定磁石と、固定磁石の外側を相対的に移動自在に設けられた中空円筒状のコイルとから構成される構成としたものにあっても、簡単かつ安価な構成で、電池なしに発光素子を点灯させる起電力を生成する発電部とすることができる。
【００３７】
また請求項７に記載の、充電部が、円盤状のバッテリーからなる構成にあっては、充電部を薄型とすることにより、全体的に小型で軽量化された筆記具とすることができる。
【００３８】
また請求項８に記載の、スイッチが首軸と胴軸との境目近傍に設けられている構成にあっては、操作性に優れた筆記具とすることができる。すなわち、筆記用具を持った状態において、親指又は人差し指の近傍にスイッチが配置されるようにあるため、筆記具を持ち変えることなくスイッチの切り替え操作を行うことができる。
【００３９】
さらに請求項９に記載の、首軸を透明又は半透明な材料で形成し、発光素子を前記首軸の内部に配置した構成にあっては、発光素子を軸本体内に設置した状態で、透明又は半透明な首部を介して外部の手元を照光することができると共に、発光素子を衝撃などの外力から保護することができる。
【００４０】
さらに請求項１０に記載の、発光素子がＬＥＤであるとする構成にあっては、発光素子の小型軽量化に加え、長寿命化と消費電力の低減を図ることができる。
【００４１】
さらに請求項１１に記載の、首軸に着脱されるキャップが設けられ、このキャップの底部にレンズが固定されている構成にあっては、レンズを介して外部をより明るく投光することができるため、簡易的な懐中電灯としての利用が可能となる。
【図面の簡単な説明】
【００４２】
【図１】本考案の第１実施例としての照光機能付き筆記具の概略構造を示す断面図である。
【図２】本考案の第２実施例としての照光機能付き筆記具の一部を透視化して示す斜視図である。
【図３】本考案の第３実施例としての照光機能付き筆記具の概略構造を示す断面図である。
【図４】図３の照光機能付き筆記具の一部を透視化して示す斜視図である。
【考案を実施するための形態】
【００４３】
以下、本考案の実施の形態について図面を参照しつつ説明する。
図１は、本考案の第１実施例としての照光機能付き筆記具の概略構造を示す断面図である。第１実施例として示す照光機能付き筆記具１Ａはボールペンであり、その外観は先端に設けられた略円錐形状からなる首軸２Ａと、円筒形状からなる胴軸２Ｂとからなる軸本体２を有して構成されている。首軸２Ａと胴軸２Ｂとは一体に構成されていてもよいし、別体で構成され螺合させることにより一体化される構成であってもよい。首軸２Ａと胴軸２Ｂとの間には発電部Ｇと充電部８とを分ける円盤形状の仕切板３が設けられている。
【００４４】
首軸２Ａの先端には軸方向に貫通する孔部２ａが形成されており、首軸２Ａ内に設けられたボールペン芯（リフィール）などの筆記具本体４の先端であるペン先４ａが突出している。
【００４５】
首軸２Ａは、光が透過できる透明又は半透明な合成樹脂材料で形成されている。首軸２Ａの内部には、例えばＬＥＤなどからなる発光素子５が基板６に組み付けられた状態で収納されている。基板６には、各種の電子部品から構成された電源制御部７及び切り替え用のスイッチＳが組み付けられている。スイッチＳの一部（操作部）は首軸２Ａの外部に露出されており、外部からスイッチＳを操作することで発光素子５の状態（点灯と消灯）の切り替えが可能となっている。また仕切板３の一方の面には円盤形状のバッテリーからなる充電部８が設けられ、電源制御部７に電気的に接続されている。
【００４６】
なお、スイッチＳは首軸２Ａと胴軸２Ｂとの境目近傍に設けられているため、筆記具を持ち変えることなくスイッチＳの切り替え操作を行うことが可能であり、この点で操作性に優れた照光機能付き筆記具１Ａとすることができる。
【００４７】
胴軸２Ｂ内の軸方向の中間位置にはボビン９が固定され、このボビン９に被覆導線を巻き付けることによりコイル１０が形成されている。コイル１０を形成する被覆導線は、首軸２Ａに設けられている電源制御部７に接続されている。
【００４８】
ボビン９の内側には円筒形状からなるケース１１が設けられており、このケース１１内に円柱形状からなる移動磁石Ｍが軸方向に移動可能な状態で遊挿されている。ケース１１の両端には円盤形状からなる固定磁石ｍ１，ｍ２が強固に固定されている。移動磁石Ｍと両端の固定磁石ｍ１，ｍ２とは、対向する面の磁極が同じ極性となるようにして取り付けられている。したがって、移動磁石Ｍと両端の固定磁石ｍ１，ｍ２との間は常に反発力が作用しており、移動磁石Ｍと固定磁石ｍ１，ｍ２とは、磁力の低下が起き難くなっている。コイル１０とケース１１に収納された移動磁石Ｍ及び固定磁石ｍ１，ｍ２とにより発電部Ｇが構成でされている。
【００４９】
次に、照光機能付き筆記具１Ａの動作について説明する。
照光機能付き筆記具１Ａを軸方向にシャッフルすると、移動磁石Ｍがケース１１内で軸方向に強制的に往復移動させられる。このとき、コイル１０を貫く移動磁石Ｍからの磁束が時間的に変化し、コイル１０に電流が流れるため、ファラデーの電磁誘導則に従う誘導起電力（電気エネルギー）がコイルの両端に発生する。このときコイル１０に流れる電流は、電源制御部７で調整されて充電部８のバッテリーを充電する。
【００５０】
移動磁石Ｍは、ケース１１内において軸方向の中間の位置に浮上する状態に設定されているため、照光機能付き筆記具１Ａをシャッフルすると、ケース１１内で移動磁石Ｍが何度も往復移動する振動を起こすことができる。このため、照光機能付き筆記具１Ａを１回シャッフルすると、電流を持続的に発生させることができる。よって、スイッチＳを「閉」状態に設定した状態で、すなわち発光素子５をオフにした状態で照光機能付き筆記具１Ａをシャッフルすることにより、比較的短い時間で充電部８を充電することができる。
【００５１】
そして、スイッチＳを「開」状態に設定すると、充電部８に充電されている電気エネルギーが発光素子５に供給され、発光素子５が点灯する。発光素子５が放つ光は、透明又は半透明な樹脂からなる首軸２Ａを介して外部に達し、照光機能付き筆記具１Ａを持つ手の手元を照光する。このため、照光機能付き筆記具１Ａを使用すれば、暗闇の中でも文字等を正確に記載することができる。
【００５２】
なお、照光機能付き筆記具１Ａのシャッフルは、スイッチＳを「開」状態で行ってもよいし、「閉」状態で行ってもよい。スイッチＳの状態に拘わらず、充電部８に充電されている電気エネルギーの容量が多いときには、発光素子５は充電部８からの電気エネルギーによって点灯する。充電部８に充電されている電気エネルギーの容量が少ないときには、充電部８から供給される電気エネルギー及び発電部で発生する電気エネルギーにより発光素子５が点灯する。
【００５３】
このように、本考案では発電部Ｇが発電した電気エネルギーにより充電部８を充電し、さらには発光素子５を点灯させることができるため、電池の交換を不要とし、半永久的な照明が可能な照光機能付き筆記具を提供できる。
【００５４】
図２は本考案の第２実施例としての照光機能付き筆記具の一部を透視化して示す斜視図である。
第２実施例に示す照光機能付き筆記具１Ｂが、上記第１実施例に示す照光機能付き筆記具１Ａと主として異なる点はキャップ２０を有する点にある。より詳細には電源制御部が円筒状のユニット２２中に組み込まれており、３個の発光素子５，５，５がユニット２２の下面に設けられている点も異なっているが、発電部，電源制御部及び動作などの基本的な構成は上記第１実施例と同じである。なお、同一部材については同一符号を付して説明する。
【００５５】
キャップ２０は有底筒形状をしており、一端側の首軸２Ａと他端側に双方に着脱自在に装着することができるようになっている。キャップ２０の底部には、凸レンズ２１が嵌め込まれている。
【００５６】
筆記具として使用しないときには、図２に実線で示すようにキャップ２０を一端側に装着することにより首軸２Ａを覆うことができ、そして図２に破線で示すように首軸２Ａ側からキャップ２０を外して他端側に取り付けることにより、筆記具として使用することが可能となる。
【００５７】
キャップ２０を一端側に装着して首軸２Ａを覆った状態で、スイッチＳを「閉」状態に切り替えると発光素子５，５，５が点灯する。このとき、点灯した光は首軸２Ａを透過し、キャップ２０の底部に取り付けられた凸レンズ２１に達し、この凸レンズ２１で集光させられた状態で外部を投光する。よって、簡易な懐中電灯としても利用することが可能である。
【００５８】
ここで、上記照光機能付き筆記具においては、発光素子５を点灯させる最低電力（最低電気エネルギー）を確保する必要があるが、上記構成からなる発電部Ｇの構成では限界がある。そこで、以下の第３実施例では、上記第１実施例及び第２実施例に比較してより大きな起電力（電気エネルギー）を発生させることが可能な発電部Ｇを備えた照光機能付き筆記具について説明する。
【００５９】
図３は本考案の第３実施例としての照光機能付き筆記具の概略構造を示す断面図、図４は図３の照光機能付き筆記具の一部を透視化して示す斜視図である。
【００６０】
第３実施例に示す照光機能付き筆記具１Ｃが、上記第１及び第２実施例に示す照光機能付き筆記具１Ａ，１Ｂと異なる主な点は、コイル１０を第１コイル１０Ａと第２コイル１０Ｂに分けて構成した点にあり、その他の構成は上記第１，第２実施例と同様であるので、以下においては異なる点を中心に第３実施例としての照光機能付き筆記具１Ｃを説明する。なお、同一部材については同一符号を付して説明する。
【００６１】
図３及び図４に示すように、胴軸２Ｂ内にはボビン９Ａとボビン９Ｂが軸方向に所定のコイル間距離Ｌを有して固定されており、被覆導線をボビン９Ａ，９Ｂに巻き付けて直列に接続することにより、第１コイル１０Ａと第２コイル１０とからなるコイル１０が形成されている。なお、直列接続された第１コイル１０Ａ側と第２コイル１０Ｂとから構成されるコイル１０の先端と終端は、それぞれ首軸２Ａに設けられる電源制御部７に接続されている。
またケース１１は、ボビン９Ａ，９Ｂの内側に配置されており、上記同様に円柱形状の移動磁石Ｍはこのケース１１内を軸方向に移動可能に遊挿されている。
【００６２】
第３実施例では、２個のコイルを直列に配置してコイル全体を鎖交する磁束数を２倍とすることにより、発生する起電力（電気エネルギー）を２倍に増加させて発光素子５を点灯させる最低電力を確保している。
【００６３】
ただし、この発電部Ｇに発生する起電力の大きさは、２個直列に配置した第１コイル１０Ａと第２コイル１０Ｂとのコイル間距離Ｌ（図３参照）に左右され、このコイル間距離Ｌが小さ過ぎても、また大き過ぎても発電力が最大とはならない。そこで、本願考案者は、実験によって第３実施例の発電部Ｇにおいて最大起電力を発生させるのに適したコイル間距離Ｌを割り出したので、以下にその結果を示す。
【００６４】
【表１】
0003176474.tif 000003
【００６５】
なお、実験に使用した第１コイル１０Ａ及び第２コイル１０Ｂの仕様は以下の通りである。
【００６６】
【表２】
0003176474.tif 000004
【００６７】
上記の実験結果より、第１コイル１０Ａと第２コイル１０Ｂとのコイル間距離Ｌを１５ｍｍとすると、平均起電力を最大にできることが判明した。
【００６８】
以上、各実施例に沿って本考案の構成とその作用効果について説明したが、本考案の実施の形態は上記実施例に限定されるものではない。
【００６９】
例えば、上記第１及び第２実施例では、ケース１１内に固定されたコイル１０に対して円柱形状の移動磁石Ｍが移動する構成を示して説明したが、本考案はこれに限られるものではなく、円柱形状の磁石がケース１１の中間部内に固定されており、その外側をコイルが移動するように構成してもよい。
【００７０】
また上記第１乃至第３実施例では、筆記具としてボールペンを示して説明したが、本考案はこれに限られるものではなく、シャープペンシル、万年筆等その他の筆記具であってもよい。
【産業上の利用可能性】
【００７１】
本考案の照光機能付き筆記具は、筆記具の分野における用途展開をさらに広い領域で図ることができる。
【符号の説明】
【００７２】
１Ａ，１Ｂ，１Ｃ     ；     照光機能付き筆記具
２     ；     軸本体
２Ａ   ；     首軸
２Ｂ   ；     胴軸
３     ；     仕切板
４     ；     筆記具本体
５     ；     発光素子（ＬＥＤ）
６     ；     基板
７     ；     電源制御部
８     ；     充電部
９     ；     ボビン
９Ａ   ；     第１ボビン
９Ｂ   ；     第２ボビン
１０   ；     コイル
１０Ａ ；     第１コイル
１０Ｂ ；     第２コイル
１１   ；     ケース
２０   ；     キャップ
２１   ；     凸レンズ
２２   ；     ユニット
Ｇ     ；     発電部
Ｍ     ；     移動磁石
ｍ１，ｍ２    ；     固定磁石
Ｓ     ；     スイッチ
【図１】
0003176474.tif 000005
【図２】
0003176474.tif 000006
【図３】
0003176474.tif 000007
【図４】
0003176474.tif 000008